(57)【要約】【課題】介護機器の手すりの腕部の旋回角度範囲を規制するストッパーネジが、その螺合部に対して緩むのを確実に防止する。【解決手段】入浴用車椅子の手すり６の支持軸１２ｂ回りの旋回角度を規制するストッパー機構１８は、支持軸１２ｂのねじ孔１３の奥部側に螺合された止めネジ１４と、ねじ孔１３の入口側に螺合されて軸頭部１５ａがねじ孔１３から外側に突き出され、先端部が止めネジ１４の頭部に当接されてねじ孔１３に締め付けられているストッパーネジ１５と、支持軸１２ｂと屈曲部材（回動部材）１０の一端部１０ａに周方向に沿って形成され、ストッパーネジ１５の軸頭部１５ａが挿入された長穴１７とを備え、長穴１７の周方向における両端部１７ａ，１７ｂのストッパーネジ１５の軸頭部１５ａに対する当接により、支持軸１２ｂに対する屈曲部材１０の回動範囲が規制されるように構成されている。【選択図】図３
2007167213.tif 000002
【特許請求の範囲】
【請求項１】
ストッパー保持体と、該ストッパー保持体に形成したねじ孔の奥部側に螺合された止めネジと、前記ストッパー保持体の前記ねじ孔の入口側に螺合されて軸頭部がストッパー保持体から外側に突き出され、先端部が前記止めネジの頭部に当接されて前記ねじ孔に締め付けられているストッパーネジとを備え、該ストッパーネジの軸頭部が、前記ストッパー保持体に対して相対的に往復動可能な可動部材に当接してその往復移動の両端位置を規制するようになっていることを特徴とするストッパー機構。
【請求項２】
前記止めネジの先端部には、先端部を固定部材に当接されて止めネジで押圧された止め具が配置されていることを特徴とする請求項１に記載のストッパー機構。
【請求項３】
座部と背部を有する椅子を設けた介護機器における前記背部の両側に支持部材を設け、該支持部材に回動部材を介して支持された手すりの腕部の、前記支持部材を中心にした上下方向の旋回角度を一定範囲に規制するストッパー機構であって、
前記支持部材と回動部材のうちの一方に形成されたねじ孔の奥部側に螺合された止めネジと、前記ねじ孔の入口側に螺合されて軸頭部が前記ねじ孔から外側に突き出され、先端部が前記止めネジの頭部に当接されて前記ねじ孔に締め付けられているストッパーネジと、前記支持部材と回動部材のうちの他方にその周方向に沿って形成され、前記ストッパーネジの軸頭部が挿入された長穴とを備え、該長穴の周方向における両端部の前記ストッパーネジの軸頭部に対する当接により、前記支持部材に対する回動部材の回動範囲が規制されるようになっていることを特徴とするストッパー機構。
【請求項４】
前記止めネジの先端部には、先端部を前記回動部材の内周面に当接された摺接部材が配置されていることを特徴とする請求項３に記載のストッパー機構。
【請求項５】
前記止めネジには、前記ねじ孔に対する締め込み力を高める締付力増加手段が設けられていることを特徴とする請求項１〜４のいずれかに記載のストッパー機構。
【発明の詳細な説明】
【技術分野】
【０００１】
本発明は、相対的に往復移動する固定部材と可動部材との間に設けられ、固定部材に対する可動部材の往復動を一定の移動範囲内に規制するストッパー機構および入浴用車椅子等の介護機器の手すりの旋回動を一定の角度範囲内に規制するストッパー機構に関するものである。
【背景技術】
【０００２】
従来、この種の入浴用車椅子の手すりのストッパー機構として、入浴用車椅子の背部の両側に突き出して設けた支持軸に、直角に折り曲げた屈曲部材の一端部を前記支持軸の回りに回動可能に嵌合して支持させ、屈曲部材の他端部に手すりの腕部の基端部を挿入して支持させると共に、前記屈曲部材の一端部と支持軸との嵌合部に支持軸の周方向に沿う長穴を形成する一方、前記支持軸に設けたねじ孔に螺合したネジ部材の頭部を前記長穴内に位置させて、前記ネジ部材の頭部が長穴の長さ方向の両端部に当接して、支持軸に対する屈曲部材の回動が規制される範囲内で、前記手すりの腕部が上下方向に旋回するようにしたものが知られている（例えば、特許文献１参照）。
【特許文献１】特開平１１−１９１５９号公報
【発明の開示】
【発明が解決しようとする課題】
【０００３】
しかしながら、前記ストッパー機構においては、単に、前記ねじ部材が支持軸のねじ孔に螺合して締め付けられているだけであるので、前記入浴用車椅子を長期間使用している間に、入浴用車椅子が振動したり、前記手すりの旋回操作が繰り返されて前記ネジ部材に屈曲部材の長穴の両端部が当接して衝撃が加わると、前記ネジ部材が徐々に緩んでしまい、ストッパー機能を良好に発揮し得なくなるおそれがある。そのため、前記支持軸に他のねじ孔を設けて、このねじ孔に螺合した止めネジの先端を前記ネジ部材のネジ山に押し付けて、ねじ部材の緩み止めを行ったり、ねじ部材を接着剤で支持軸に固定する等の対策をすることも行われるが、いずれも前記ねじ部材の緩みを効果的に防止することができない問題がある。
【０００４】
本発明は、上記事情に鑑みてなされたものであって、固定部材に対する可動部材の往復動を一定の移動範囲内に規制するストッパーネジが、その螺合部に対して緩むのを確実に防止することができるストッパー機構を提供することを目的とする。
また、本発明の他の目的は、介護機器の手すりの腕部の旋回角度範囲を規制するストッパーネジが、その螺合部に対して緩むのを確実に防止することができるストッパー機構を提供することである。
【課題を解決するための手段】
【０００５】
本発明は、前記課題を解決するために、以下の点を特徴としている。
すなわち、請求項１に係るストッパー機構は、ストッパー保持体と、該ストッパー保持体に形成したねじ孔の奥部側に螺合された止めネジと、前記ストッパー保持体の前記ねじ孔の入口側に螺合されて軸頭部がストッパー保持体から外側に突き出され、先端部が前記止めネジの頭部に当接されて前記ねじ孔に締め付けられているストッパーネジとを備え、該ストッパーネジの軸頭部が、前記ストッパー保持体に対して相対的に往復動可能な可動部材に当接してその往復移動の両端位置を規制するようになっていることを特徴としている。
【０００６】
請求項２に係るストッパー機構は、請求項１に記載のストッパー機構において、前記止めネジの先端部に、先端部を固定部材に当接されて止めネジで押圧された止め具が配置されていることを特徴としている。
【０００７】
請求項３に係るストッパー機構は、座部と背部を有する椅子を設けた介護機器における前記背部の両側に支持部材を設け、該支持部材に回動部材を介して支持された手すりの腕部の、前記支持部材を中心にした上下方向の旋回角度を一定範囲に規制するストッパー機構であって、
前記支持部材と回動部材のうちの一方に形成されたねじ孔の奥部側に螺合された止めネジと、前記ねじ孔の入口側に螺合されて軸頭部が前記ねじ孔から外側に突き出され、先端部が前記止めネジの頭部に当接されて前記ねじ孔に締め付けられているストッパーネジと、前記支持部材と回動部材のうちの他方にその周方向に沿って形成され、前記ストッパーネジの軸頭部が挿入された長穴とを備え、該長穴の周方向における両端部の前記ストッパーネジの軸頭部に対する当接により、前記支持部材に対する回動部材の回動範囲が規制されるようになっていることを特徴としている。
【０００８】
請求項４に係るストッパー機構は、請求項３に記載のストッパー機構において、前記止めネジの先端部に、先端部を前記回動部材の内周面に当接された摺接部材が配置されていることをを特徴としている。
【０００９】
請求項５に係るストッパー機構は、請求項１〜４のいずれかに記載のストッパー機構において、前記止めネジに、前記ねじ孔に対する締め込み力を高める締付力増加手段が設けられていることをを特徴としている。
【発明の効果】
【００１０】
本発明は以下の優れた効果を奏する。
すなわち、請求項１に係るストッパー機構によれば、ストッパー保持体のねじ孔に螺合されたストッパーネジが、その先端部において前記ねじ孔に螺合された止めネジの頭部に当接されて締め付けられることにより、前記止めネジと突っ張り合わせられて、前記ねじ孔に対する締付力が増大される。これにより、前記ストッパーネジをねじ孔内でしっかりと固定させ、ストッパーネジがねじ孔との螺合部に対して緩むのを確実に防止することができ、可動部材の固定部材に対する移動範囲の規制を確実に行うことができる。
【００１１】
また、請求項２に係るストッパー機構によれば、止め具が固定部材に当接、押圧されて止めネジのねじ孔に対する締付力を高めるので、前記ストッパーネジのねじ孔への固定を一層強固にすることができる。
【００１２】
また、請求項３に係るストッパー機構によれば、介護機器の椅子の背部に設けた支持部材とこれに支持された回動部材のうちの一方のねじ孔に螺合されたストッパーネジが、その先端部において前記ねじ孔に螺合された止めネジの頭部に当接されて締め付けられることにより、前記止めネジと突っ張り合わせられて、前記ねじ孔に対する締付力が増大される。これにより、前記ストッパーネジを前記ねじ孔内でしっかりと固定させ、ストッパーネジがねじ孔との螺合部に対して緩むのを確実に防止することができ、前記支持部材と回動部材のうちの他方に連結された手すりの旋回範囲を、前記支持部材と回動部材のうちの他方に設けた長穴によって定まる範囲に確実に規制することができる。
【００１３】
また、請求項４に係るストッパー機構によれば、止めネジの先端に配置された抵抗部材が、支持部材と回動部材のうちの一方の内周面に当接されて止めネジに押圧されているので、前記支持部材と回動部材のうちの一方の内周面と前記抵抗部材との間に作用する摩擦力によって、前記手すりの支持部材を中心にした旋回動に対して適度の抵抗を付加させることができる。したがって、前記手すりが自重によって勝手に下方に旋回してしまうのを確実に防止することができると共に、所要持には、軽い力で簡単に手すりを旋回させて適宜旋回位置に停止させることができる。
【００１４】
また、請求項５に係るストッパー機構によれば、止めネジが、締付力増加手段によって締付力を高めてねじ孔に螺合されてねじ孔に対して緩むことがなく、ストッパーネジに対して突っ張り力を効果的に発揮させることができるので、ストッパーネジのねじ孔に対する緩み防止の効果を一層高めることができる。
【発明を実施するための最良の形態】
【００１５】
以下、本発明の一実施の形態に係るストッパー機構について添付図面を参照して説明する。
図１において、１は本発明の一実施の形態に係るストッパー機構を適用した入浴用車椅子である。この入浴用車椅子１は、略水平に配置された座部２と、該座部２の後側（図１で右側）に前後（図１で左右方向）に起倒可能に立設された背部３と、該背部３の上方に設けられた頭部４と、先端に足受部５ａを有し前記座部２の前側（図１で左側）に上下に揺動可能に設けた脚部５と、前記背部３の両側に上下に旋回可能に支持された手すり６とを設けた椅子上部Ａを備えると共に、下部の四隅に設けた車輪７ａによって走行する台車７を有し、前記椅子上部Ａの前記座部２を前後方向に移動、固定可能に支持する椅子下部Ｂを備えて構成されている。
【００１６】
前記手すり６は、腕部８と、該腕部８の先端部に装着された把持部９と、前記腕部８の基端部に連結された直角に折り曲げられた屈曲部材（回動部材）１０とを備え、該屈曲部材１０の前記腕部９と反対側において腕部９に対して直角に向けられた一端部１０ａが、前記背部３をその後面側で支持するパイプからなる縦フレーム１１に水平（図２で上下方向）に固定した支持部材１２に支持されて、前記腕部９が前記支持部材１２を中心にして上下方向（図２で紙面に垂直な方向）に、一定の角度範囲θ、例えば、図１に実線で示す水平状態から鎖線で示すように９５°垂直状に起立した状態まで旋回するようになっている。
【００１７】
すなわち、前記支持部材１２は、前記縦フレーム１１に水平に固定された筒部材１２ａに一端部を嵌合、固着された支持軸１２ｂが、他端部を前記背部３の外側に突き出すように設けられてなり、前記支持軸１２ｂに前記屈曲部材１０の前記一端部１０ａに設けた軸穴１０ｂが嵌合されて、前記屈曲部材１０が支持軸１２ｂにその軸回りに回転するように支持されている。前記支持軸１２ｂにはその直径方向に貫通するねじ孔１３が支持軸１２ｂの軸方向の中間付近に設けられており、該ねじ孔１３には、その奥部側に位置して止めネジ１４が螺合され、入口側に位置してストッパーネジ１５が螺合されている。
【００１８】
そして、前記止めネジ１４は、そのネジ山の中央部もしくは頂部の幅を規格で定められているものより僅かに厚くしたりする等の手段（締付力増加手段）が設けられることによって、前記ねじ孔１３に対する締め込み力（摩擦力）を増加させ、止めネジ１４に対して緩み方向の抵抗がかかるようになっている。また、前記止めネジ１４の先端部には凹部１４ａが設けられ、該凹部１４ａに抵抗部材１６が嵌入されている。該抵抗部材１６は、真鍮、合成樹脂等の比較的軟質で前記屈曲部材１０ａの軸穴１０ｂとの間に摩擦を高め得る材料からなり、先端部が前記止めネジ１４によって前記屈曲部材１０の軸穴１０ｂの内周面１０ｂに押圧されている。
また、前記ストッパーネジ１５は、その先端部が前記止めネジ１４の頭部に当接され、軸頭部１５ａが前記支持軸１２ｂの外側に突き出されている。なお、前記止めネジ１４の頭部とストッパーネジ１５の軸頭部１５ａには、それぞれ、ねじ回し、スパナ掛け用の溝１４ｂ、六角穴１５ｂが設けられている。
【００１９】
さらに、前記屈曲部材１０の一端部１０ａには、その軸方向における前記支持軸１２ｂのねじ孔１３に対応する位置に、前記一端部１０ａの軸方向に沿う幅が前記ストッパーネジ１５の軸頭部１５ａが丁度嵌入し得る幅とされ、前記一端部１０ａの周方向に沿って前記軸頭部１５ａの直径より十分に長く延長された長穴１７が形成され、該長穴１７の両端部１７ａ，１７ｂが前記ストッパーネジ１５の軸頭部１５ａに当接して、支持軸１２ｂに対する屈曲部材１０の一端部１０ａの回動が制限されることによって、前記腕部８が前記支持部材１２を中心にして上下方向（図２で紙面に垂直な方向）に、前記角度範囲θだけ旋回するようになっている。
【００２０】
前記屈曲部材１０、屈曲部材１０の長穴１７、支持部材１２（支持軸１２ｂ）、支持軸１２ｂのねじ孔１３、止めネジ１４、ストッパーネジ１５、抵抗部材１６等によって、前記支持部材１２に対する手すり６の腕部８の支持部材１２を中心にした回動範囲を規制するストッパー機構１８が構成されている。
なお、前記屈曲部材１０の他端部１０ｃには、その軸穴１０ｄに前記腕部８の基端部８ａが嵌合されており、前記他端部１０ｃに形成された長穴１０ｅと、該長穴１０ｅに嵌入され前記基端部８ａに固定されたボルト８ｂとによって規制される一定角度範囲で、前記腕部８が前記屈曲部材１０に対して軸回りに回転するように支持されると共に、コイルばね１９によって、前記腕部８の屈曲された先端に設けた把持部９が前記座部２の中央側を向くように付勢され、該付勢力に抗して前記把持部９が外側への手操作で回動し得るようになっている。
【００２１】
前記構成の入浴用車椅子１の手すり６のストッパー機構１８においては、入浴用車椅子１に対して要介護者を乗り降りさせるとき、その他の所要時に、前記手すりを前記背部３に対して起倒（旋回）させるが、その際、背部３（縦フレーム１１）の支持部材１２のストッパーネジ１５に、前記手すり６に連結されている屈曲部材１０の長穴１７の両端部１７ａ，１７ｂが当接して衝撃が加わることがある。この衝撃は、入浴用車椅子１を長期間にわたって使用している間には繰り返して生じることとなる。しかし、前記ストッパーネジ１５は、その先端部を支持部材１２の支持軸１２ｂのねじ孔１３に螺合された止めネジ１４の頭部に当接されて締め付けられ、それらストッパーネジ１５と止めネジ１４とが突っ張り合わせられ、ストッパーネジ１５のねじ孔１３に対する締付力が増大されているので、ねじ孔１３内でしっかりと固定されて緩むことはない。
【００２２】
また、前記止めネジ１４は、前記締付力増加手段が設けられていてねじ孔１３に対して緩むことがないので、前記ストッパーネジ１５に対して突っ張り力を効果的に発揮させ、ストッパーネジ１５の緩み防止の効果を一層高める。
さらに、前記止めネジ１４の先端に配置された前記抵抗部材１６が、前記屈曲部材１０における一端部１０ａの軸穴１０ｂの内周面に当接されて止めネジ１４に押圧されているので、抵抗部材１６と軸穴１０ｂの内周面との間に作用する摩擦力によって、前記手すり６の支持軸１２ｂを中心にした旋回動に対して適度の抵抗が付加され、前記手すり６が自重によって勝手に下方に旋回してしまうことがないと共に、所要時には、軽い力で簡単に旋回させて適宜旋回位置に停止させることができる。
【００２３】
次に、前記ストッパー機構１８に代わる他のストッパー機構２０の構成を図４を参照して説明する。
このストッパー機構２０は、図４に示すように、前記支持軸１２ｂのねじ孔１３に螺合されて軸頭部２１ａを支持軸１２ｂの外周部に突き出したストッパーネジ２１を備えている。該ストッパーネジ２１の中心には、外端部側（図４で左端側）にねじ孔２１ｂが設けられ、該ねじ孔の２１ｂの先端側（図４で右端側）に小径軸孔２１ｃが設けられている。前記小径軸孔２１ｃと前記ねじ孔２１ｂとの間は、該ねじ孔２１ｂの下孔２１ｄで連絡されており、該下孔２１ｄは小径軸孔２１ｃより大径となっている。前記ストッパーネジ２１には、その先端側から軸方向の中央の位置まで軸方向に沿って延長されたスリット２１ｅが周方向に等間隔をあけて４本設けられている。該スリットの本数は４本以外の複数本であってもよい。
【００２４】
そして、前記ねじ孔２１ｂには、その奥部側（先端側）に第１の止めネジ２２が螺合され、入口側に第２の止めネジ２３が先端を前記第１の止めネジ２２の頭部に当接させて螺合されている。前記第１の止めネジ２２は、前記ねじ孔２１ｂに螺合する雄ねじ部２２ａと、その先方に設けられ前記小径軸孔２１ｃより僅かに直径が大きい平行軸部２２ｂと、該平行軸部２２ｂの軸径から先細となるテーパ軸部２２ｃとからなり、前記雄ねじ部２２ａがねじ孔２１ｂの最奥部に螺合されたときに、前記テーパ軸２２ｃを介して前記平行軸部２２ｂの先端部が前記小径軸孔２１ｃに挿入され、これにより、前記ストッパーネジ２１は、その先端側が前記スリット２１ｅの効果によって拡径され、その雄ねじ部２１ｆの先端側が前記ねじ孔１３に緊密に嵌着された状態となるようになっている。なお、前記ストッパーネジ２１の軸頭部２１ａの外端面にはねじ回しを掛ける溝が設けられ、前記第１、第２の止めネジ２２，２３の頭部にはスパナ掛け用の六角穴が設けられている。
【００２５】
前記ストッパー機構２０によれば、前記ストッパーネジ２１の軸頭部２１ａが、前記屈曲部材１０の一端部１０ａに設けた前記長穴１７内にあって、前記屈曲部材１０が前記支持部材１２の支持軸１２ｂに対して回動した際に、長穴１７の両端部１７ａ，１７ｂに当接することにより、前記回動の角度範囲が一定の角度範囲θに規制される。その場合、前記ストッパーネジ２１は、前記の通り、雄ねじ部２１ｆがその先端側を前記第１の止めネジ２２によって拡径されて前記ねじ孔１３に緊密に嵌着されているので、軸頭部２１ａが長穴１７の両端部１７ａ，１７ｂで前記屈曲部材１０に当接しても、その衝撃等により緩むことはない。そして、第１の止めネジ２２が、その頭部を第２の止めネジ２３によって押圧されることによってねじ孔２１ｂに対して緩むことがないので、前記ねじ孔１３に対するストッパーネジ２１の嵌着の緊密度が確実に維持され、前記ストッパーネジ２１の緩み止めの効果を高めている。
【００２６】
なお、前記実施の形態に係る入浴用車椅子の手すりのストッパー機構１８においては、前記支持部材１２に支持軸１２ｂを設けて、該支持軸１２ｂに設けたねじ孔１３にストッパーネジ１５を螺合させると共に、前記屈曲部材１０に前記支持軸１２ｂに嵌合する軸穴１０ｂと前記ストッパーネジ１５の軸頭部１５ａが挿入される長穴１７を形成したが、これに限らず、前記支持部材１２に軸穴と長穴を有する筒状部材を設け、前記屈曲部材１０にストッパーネジ１５を螺合させた支持軸を設け、該支持軸を支持部材１２の軸穴に回動自在に嵌合させ、支持部材１２の長穴に屈曲部材１０のストッパーネジ１５の軸頭部１５ａを嵌入させるようにしてもよい。
また、前記実施の形態においては、本発明を入浴用車椅子の手すりにおけるストッパー機構に適用した例を示したが、本発明はこれに限らず、座部と背部を有する椅子を備えた担架や浴槽内に要介護者を入れるリフト、その他の介護機器における手すりのストッパー機構にも適用することができる。
【００２７】
さらに、上記介護機器の手すりの旋回部におけるストッパー機構に限らず、相対的に往復移動する固定部材と可動部材との間に前記ストッパー機構１８を適用して、前記固定部材に対する可動部材の往復移動における移動範囲を規制するストッパー機構を構成することができる。
このストッパー機構を前記ストッパー機構１８の構成要素を使用して記載すると、次のようになる。すなわち、固定部材としての前記支持軸１２ｂ（ストッパー保持体）と、該支持軸１２ｂ（ストッパー保持体）に形成したねじ孔１３の奥部側に螺合された止めネジ１４と、前記支持軸１２ｂ（ストッパー保持体）の前記ねじ孔１３の入口側に螺合されて軸頭部１５ａが支持軸１２ｂ（ストッパー保持体）から外側に突き出され、先端部が前記止めネジ１４の頭部に当接されて前記ねじ孔１３に締め付けられているストッパーネジ１５とを備え、該ストッパーネジ１５の軸頭部１５ａが、前記支持軸１２ｂ（ストッパー保持体）に対して相対的に往復動可能な屈曲部材１０（可動部材）に当接してその往復移動の両端位置を規制するようにした構成ということになる。
【００２８】
そして、この場合、前記ストッパー機構１８の抵抗部材１６に代わる止め具を、前記止めネジ１４の先端側に配置して、前記支持軸１２ｂ（ストッパー保持体）または他の固定部材に前記止め具を止めネジ１４によって押し付け、その反発力により該止めネジ１４がねじ孔１３内にしっかりと締め付けられるようにされる。前記止め具は、前記抵抗部材１６のように屈曲部材１０（可動部材）に摩擦抵抗を付与して相対回動させるものではないので、真鍮の他に種々の金属材料を使用することできる。
なお、前記固定部材と可動部材は、一方が固定されているとき他方が相対的に移動するものであり、互いに入れ替わることがあり、固定的に意味するものではない。
【図面の簡単な説明】
【００２９】
【図１】本発明の一実施の形態に係るストッパー機構を適用した入浴用車椅子を示す側面図である。
【図２】図１のイ矢視図である。
【図３】図２のロ矢視における一部を断面で示した拡大図である。
【図４】手すりのストッパー機構の他の例を示す参考図である。
【符号の説明】
【００３０】
１  入浴用車椅子
３  背部
６  手すり
８  腕部
１０  屈曲部材
１０ｂ  軸穴
１１  縦フレーム
１２  支持部材
１２ｂ  支持軸
１３  ねじ孔
１４  止めネジ
１５  ストッパーネジ
１５ａ  軸頭部
１６  抵抗部材
１７  長穴
１８  ストッパー機構
【図１】
2007167213.tif 000003
【図２】
2007167213.tif 000004
【図３】
2007167213.tif 000005
【図４】
2007167213.tif 000006